(57)【要約】【課題】無線通信システムにおける基地局装置とユーザ装置との間の通信において、より高い品質の実現のために、より容易にセル毎に通信パラメータを設定する。【解決手段】基地局装置は、無線通信システムにおいてユーザ装置と通信可能である。基地局装置とユーザ装置との間の通信品質を示すパラメータが所定値以上になるように、カバレッジ拡張レベルにおける繰り返し送信回数、及びカバレッジ拡張レベルを決定するための受信電力の閾値のうち少なくとも一方を変更する制御部を備える。【選択図】図８
2020178174.tif 000002
【特許請求の範囲】
【請求項１】
無線通信システムにおいてユーザ装置と通信可能な基地局装置であって、
通信品質を示すパラメータが所定値以上になるように、カバレッジ拡張レベルにおける繰り返し送信回数及びカバレッジ拡張レベルを決定するための受信電力の閾値のうち少なくとも一方を変更する制御部を備える、基地局装置。
【請求項２】
前記制御部により変更された前記繰り返し送信回数又は前記受信電力の閾値を含むブロードキャスト情報を前記ユーザ装置へ送信する送信部を備える、請求項１に記載の基地局装置。
【請求項３】
前記パラメータは、前記基地局装置と前記ユーザ装置と間の通信の接続率を含む、請求項１又は２に記載の基地局装置。
【請求項４】
前記制御部は、所定期間、前記パラメータが所定値未満であったときに、前記繰り返し送信回数及び前記受信電力の閾値のうち少なくとも一方を上げる、請求項１から３のうちいずれか一項に記載の基地局装置。
【請求項５】
前記制御部は、所定期間、前記パラメータが所定値以上であったときに、前記繰り返し送信回数及び前記受信電力の閾値のうち少なくとも一方を下げる、請求項１から４のうちいずれか一項に記載の基地局装置。
【請求項６】
前記無線通信システムによる通信は、ｅＭＴＣ（ｅｎｈａｎｃｅｄ  Ｍａｃｈｉｎｅ  Ｔｙｐｅ  Ｃｏｍｍｕｎｉｃａｔｉｏｎ）に基づく、請求項１から５のいずれか一項に記載の基地局装置。
【請求項７】
前記無線通信システムによる通信は、ＮＢ−ＩｏＴ（Ｎａｒｒｏｗ  Ｂａｎｄ  Ｉｎｔｅｒｎｅｔ  ｏｆ  Ｔｈｉｎｇｓ）に基づく、請求項１から５のいずれか一項に記載の基地局装置。
【請求項８】
無線通信システムにおいてユーザ装置と通信可能な基地局装置で実施される通信方法あって、
通信品質を示すパラメータが所定値以上になるように、カバレッジ拡張レベルにおける繰り返し送信回数、及びカバレッジ拡張レベルを決定するための受信電力の閾値のうち少なくとも一方を変更することを有する、通信方法。
【請求項９】
コンピュータを、
無線通信システムにおいてユーザ装置と通信可能な基地局装置であって、
通信品質を示すパラメータが所定値以上になるように、カバレッジ拡張レベルにおける繰り返し送信回数、及びカバレッジ拡張レベルを決定するための受信電力の閾値のうち少なくとも一方を変更する制御部として機能させるためのプログラム。
【発明の詳細な説明】
【技術分野】
【０００１】
本発明は、無線通信のための基地局装置、通信方法及びプログラムに関する。
【背景技術】
【０００２】
移動通信システムの標準化プロジェクトである３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）では、省電力型広域無線ネットワーク（ＬＰＷＡ：Ｌｏｗ  Ｐｏｗｅｒ  Ｗｉｄｅ  Ａｒｅａ）がすでに標準化されている。
【０００３】
非特許文献１には、ＩｏＴデバイス向けのセルラーＬＰＷＡを実現するＬＴＥ標準規格（以下、ＬＰＷＡ規格と総称する。）として、ＮＢ−ＩｏＴ（Ｎａｒｒｏｗ  Ｂａｎｄ  Ｉｎｔｅｒｎｅｔ  ｏｆ  Ｔｈｉｎｇｓ）やｅＭＴＣ(ｅｎｈａｎｃｅｄ  Ｍａｃｈｉｎｅ  Ｔｙｐｅ  Ｃｏｍｍｕｎｉｃａｔｉｏｎ)の規格化に関する詳細が開示されている。
【０００４】
ＬＰＷＡ規格において、ユーザ装置がＭＴＣ（Ｍａｃｈｉｎｅ  Ｔｙｐｅ  Ｃｏｍｍｕｎｉｃａｔｉｏｎ)端末である場合、データチャネルの送受信帯域幅は、６ＰＲＢ（Ｐｈｙｓｉｃａｌ  Ｒｅｓｏｕｒｃｅ  Ｂｌｏｃｋ）に限定される。また、ユーザ装置がＩｏＴ（Ｉｎｔｅｒｎｅｔ  ｏｆ  Ｔｈｉｎｇｓ）端末の場合、送受信帯域幅は、１ＰＲＢに限定される。ＬＰＷＡ規格に準拠することにより、低消費電力を低コストで達成できることが期待される。
【０００５】
また、ＬＰＷＡの機能の一つとして、拡張カバレッジ（Ｅｘｔｅｎｄｅｄ  Ｃｏｖｅｒａｇｅ）という機能がある。拡張カバレッジは、３ＧＰＰで標準化された機能であり、信号の繰り返し送信による通信品質向上と、カバレッジの拡張を実現する。
【０００６】
非特許文献２には、ＮＢ−ＩｏＴ及びｅＭＴＣにおいて、信号を繰り返し送信することで、通信品質を向上させ、カバレッジを拡張する技術が開示されている。
【０００７】
ｅＭＴＣの拡張カバレッジ機能には、どの程度カバレッジを拡張するかに応じて、４つのカバレッジ拡張レベル（Ｃｏｖｅｒａｇｅ  Ｅｎｈａｎｃｅｍｅｎｔ  Ｌｅｖｅｌ）が定義されている。また、ＮＢ−ＩｏＴには、３つのカバレッジ拡張レベルが定義されている。
【０００８】
基地局装置は、カバレッジ拡張レベルを判断するためのＲＳＲＰ（Ｒｅｆｅｒｅｎｃｅ  Ｓｉｇｎａｌ  Ｒｅｃｅｉｖｅｄ  Ｐｏｗｅｒ）の閾値（ｒｓｒｐ−Ｔｈｒｅｓｈｏｌｄｓ）と、カバレッジ拡張レベル毎に設定された信号送信の繰り返し回数（Ｒｅｐｅｔｉｔｉｏｎ  Ｎｕｍｂｅｒ）とを含むブロードキャスト情報をＳＩＢ２（Ｓｙｓｔｅｍ  Ｉｎｆｏｍａｔｉｏｎ  Ｂｌｏｃｋ  Ｔｙｐｅ２）でユーザ装置に通知する。
【０００９】
ユーザ装置は、基地局装置から受信した信号の受信電力（ＲＳＲＰ）の測定結果、及び受信したブロードキャスト情報に基づいて、適用されるカバレッジ拡張レベルを自ら判断し、当該するカバレッジ拡張レベルに対応する繰り返し回数で通信を開始する。
【００１０】
一般に、電波の環境は、周辺に存在する遮蔽物や当該電波と干渉する他の電波などに影響される。このため、環境に影響を受ける無線通信の通信品質はセルにより異なる。そのため、通信品質をより向上させるためには、ユーザ装置が在圏し得るセル毎に上記のＲＳＲＰの閾値及び信号送信の繰り返し回数が設定されることが望ましい。
【先行技術文献】
【非特許文献】
【００１１】
【非特許文献１】The Mobile Broadband Standard、http://www.3gpp.org/news-events/3gpp-news/1805-iot_r14
【非特許文献２】eMTC及びNB-IoTの技術概要・共用検討、  http://www.soumu.go.jp/main_content/000458171.pdf
【発明の概要】
【発明が解決しようとする課題】
【００１２】
しかしながら、基地局装置に対応して設定されるセルの数は膨大であるため、各セルの電波の環境を判断し、セル毎に適した上記のＲＳＲＰの閾値や信号送信の繰り返し回数などの通信パラメータを手動で設定することは困難である。
【００１３】
本発明は、上記に鑑みてなされたものであり、より高い通信品質を実現するために、より容易にセル毎に通信パラメータを設定する技術を提供することを目的とする。
【課題を解決するための手段】
【００１４】
本発明の一態様に係る基地局装置は、無線通信システムにおいてユーザ装置と通信可能であり、通信品質を示すパラメータが所定値以上になるように、カバレッジ拡張レベルにおける繰り返し送信回数、及びカバレッジ拡張レベルを決定するための受信電力の閾値のうち少なくとも一方を変更する制御部を備える。
【００１５】
この態様によれば、より高い通信品質の実現のために、より容易にセル毎に通信パラメータを設定することが可能である。
【００１６】
本発明の一態様に係る通信方法は、無線通信システムにおいてユーザ装置と通信可能な基地局装置で実施される通信方法ある。当該通信方法は、通信品質を示すパラメータが所定値以上になるように、カバレッジ拡張レベルにおける繰り返し送信回数、及びカバレッジ拡張レベルを決定するための受信電力の閾値のうち少なくとも一方を変更することを有する。
【００１７】
本発明の一態様に係るプログラムは、コンピュータを、無線通信システムにおいてユーザ装置と通信可能な基地局装置であって、通信品質を示すパラメータが所定値以上になるように、カバレッジ拡張レベルにおける繰り返し送信回数、及びカバレッジ拡張レベルを決定するための受信電力の閾値のうち少なくとも一方を変更する制御部として機能させるためのプログラムである。
【発明の効果】
【００１８】
本発明によれば、より高い通信品質の実現のために、より容易にセル毎に通信パラメータを設定する技術を提供することができる。
【図面の簡単な説明】
【００１９】
【図１】一実施形態に係る無線通信システムの構成を示す模式図である。
【図２】一実施形態に係るカバレッジ拡張を説明するための概念図である。
【図３】一実施形態に係るカバレッジ拡張を説明するための概念図である。
【図４】一実施形態に係る信号の繰り返し送信を説明するための概念図である。
【図５】一実施形態に係る基地局装置の機能構成を示すブロック図である。
【図６】一実施形態において、基地局装置の記憶部に記憶されるデータの一例を示す図である。
【図７】一実施形態において、基地局装置の記憶部に記憶されるデータの一例を示す図である。
【図８】一実施形態に係る基地局装置による処理のフローを示す図である。
【図９】一実施形態に係る基地局装置のハードウェア構成を示すブロック図である。
【発明を実施するための形態】
【００２０】
添付図面を参照して、本発明の実施形態について説明する。なお、各図において、同一の符号を付したものは、同一又は同様の構成を有する。
【００２１】
〔システム構成〕
図１を参照して、本実施形態に係る無線通信システムの構成例を説明する。無線通信システム１は、基地局装置１０、ユーザ装置２１、及びユーザ装置２２を備える。無線通信システム１は、この例において、１つの基地局装置及び２つのユーザ装置を備えているがこれに限定されない。無線通信システム１は、複数の基地局装置を備えてもよい。また、無線通信システム１は、１つのユーザ装置を備えてもよいし、３つ以上のユーザ装置を備えてもよい。以下の説明において、ユーザ装置２１及びユーザ装置２２を区別しないときは、ユーザ装置２１又はユーザ装置２２を総称してユーザ装置２０と称する場合もある。
【００２２】
無線通信システム１は、ｅＭＴＣ及びＮＢ−ＩｏＴに基づく通信が可能である。無線通信システム１は、特に、ＬＴＥ（Ｌｏｎｇ  Ｔｅｒｍ  Ｅｖｏｌｕｔｉｏｎ）に準拠したシステムを想定しているが、これらに限定されず、他の通信方式に準拠したシステムを適用可能である。
【００２３】
基地局装置１０は、ユーザ装置２０との間で無線通信を確立することが可能である。基地局装置１０は、カバレッジ拡張レベルに準拠した通信を行う機能を有する。
【００２４】
ユーザ装置２０は、ＭＴＣ端末、又はＩｏＴ端末である。ユーザ装置２０は、カバレッジ拡張レベルに準拠した通信を行う機能を有する装置であり、例えば、ウェアラブル端末、電気メータ、又はＧＰＳ装置などである。
【００２５】
〔カバレッジ拡張機能の概要〕
図２から図４を参照して、カバレッジ拡張機能の概要を説明する。
【００２６】
図２は、ｅＭＴＣのカバレッジ拡張レベル（ＣＥ  Ｌｅｖｅｌ）を示している。同図に示すように、ｅＭＴＣでは、０から３までの４段階のカバレッジ拡張レベルが規定されている。レベル０からレベルが上がるにつれて、カバレッジ（通信範囲）がより広く拡張される。また、ＣＥ  Ｌｅｖｅｌ０及び１はｍｏｄｅ−Ａと称される。ＣＥ  Ｌｅｖｅｌ２及び３はｍｏｄｅ−Ｂと称される。
【００２７】
図３は、ＮＢ−ＩｏＴのカバレッジ拡張レベルを示している。同図に示すように、ＮＢ−ＩｏＴでは、０から２までの３段階のカバレッジ拡張レベルが規定されている。レベル０からレベルが上がるにつれて、カバレッジがより広く拡張される。
【００２８】
図４は、ｅＭＴＣ及びＮＢ−ＩｏＴにおける繰り返し送信（Ｒｅｐｅｔｉｔｉｏｎ）について概念的に示している。ｅＭＴＣ及びＮＢ−ＩｏＴでは、同一の信号を繰り返し送信することにより、カバレッジの拡張が実現される。
【００２９】
同図には、ｅＭＴＣ又はＮＢ−ＩｏＴにおいて、同一信号を８回繰り返して送信することが示されている。繰り返し回数が多いほど、カバレッジがより拡張され、通信品質が向上する。一方で、繰り返し回数が多いほど、通信のスループットが低下する。そのため、繰り返し回数は、通信の品質とスループットとのトレードオフを考慮して設定される必要がある。
【００３０】
〔機能構成〕
図５を参照して、基地局装置１０の機能構成を説明する。同図に示すように、基地局装置１０は、記憶部１１０、送信部１１１、受信部１１２、及び制御部１１３を有する。なお、同図は、本実施形態の実施に特に関連する機能部を示しているにすぎず、基地局装置１０は、例えば、一般的な基地局装置が有する他の機能部を有する。
【００３１】
記憶部１１０は、実行される処理のために設定されたデータ、実行された処理結果のデータ、及び基地局装置１０が受信したデータなど、各種のデータを記憶する。記憶部１１０は、例えば、基地局装置１０とユーザ装置２０との間の通信で適用されるカバレッジ拡張レベル及び繰り返し送信数（Ｒｅｐｅｔｉｔｉｏｎ  Ｎｕｍｂｅｒ）の選定のために参照されるデータを記憶する。
【００３２】
図６は、記憶部１１０に記憶されるデータの例として、カバレッジ拡張レベルの選定のために使用されるデータの一例を示している。同図は、ｅＭＴＣ及びＮＢ−ＩｏＴのそれぞれにおいて、基地局装置１０からユーザ装置２０に送信されるブロードキャスト情報（報知情報）のＳＩＢ２に設定されるデータを示している。
【００３３】
詳細には、ｅＭＴＣについては、ＳＩＢ２に含まれるデータの項目ＲＳＲＰ−ＴｈｒｅｓｈｏｌｄｓＰｒａｃｈＩｎｆｏＬｉｓｔに対して、選択されるカバレッジ拡張レベル（Ｓｅｌｅｃｔｅｄ  ＣＥ  Ｌｅｖｅｌ）に対応付けられたＲＳＲＰの閾値が記憶されている。また、ＮＢ−ＩｏＴについては、ＳＩＢ２の項目ＲＳＲＰ−ＴｈｒｅｓｈｏｌｄｓＮＰＲＡＣＨ−ＩｎｆｏＬｉｓｔ−ＮＢに対して、カバレッジ拡張レベルに対応付けられたＲＳＲＰの閾値が記憶されている。
【００３４】
図６に示すデータの使用方法の例を説明する。ｅＭＴＣの場合、記憶部１１０に記憶されたデータに基づいて、ＳＩＢ２のＲＳＲＰ−ＴｈｒｅｓｈｏｌｄｓＰｒａｃｈＩｎｆｏＬｉｓｔにＲＳＲＰの閾値（以下、「ｅＭＴＣ用のＲＳＲＰ閾値」という。）が各カバレッジ拡張レベルに対応付けて設定される。ｅＭＴＣ用のＲＳＲＰ閾値は、適用されるカバレッジ拡張レベルの選定のための閾値である。図６には、設定されたｅＭＴＣ用のＲＳＲＰ閾値以上のときは、カバレッジ拡張レベルはＣＥ  Ｌｅｖｅｌ０となり、ｅＭＴＣ用のＲＳＲＰ閾値未満のときは、カバレッジ拡張レベルはＣＥ  Ｌｅｖｅｌ１となることが示されている。
【００３５】
具体的には、ユーザ装置２０は、基地局装置１０から受信した信号のＲＳＲＰを測定し、さらに、基地局装置１０から受信したブロードキャスト情報のＳＩＢ２に含まれるｅＭＴＣ用のＲＳＲＰ閾値を参照する。ユーザ装置２０は、測定されたＲＳＲＰの値とｅＭＴＣ用のＲＳＲＰ閾値との比較結果に基づいて、適用されるカバレッジ拡張レベルを選定する。ユーザ装置２０は、選定したカバレッジ拡張レベルに対応する信号送信の繰り返し数で、基地局装置１０との通信を行う。
【００３６】
また、ＮＢ−ＩｏＴの場合、記憶部１１０に記憶された図６に示すデータに基づいて、ＳＩＢ２のＲＳＲＰ−ＴｈｒｅｓｈｏｌｄｓＮＰＲＡＣＨ−ＩｎｆｏＬｉｓｔ−ＮＢにＲＳＲＰの閾値値（以下、「ＮＢ−ＩｏＴ用のＲＳＲＰ閾値」という。）が各カバレッジ拡張レベルに対応付けて設定される。ユーザ装置２０は、基地局装置１０から受信した信号のＲＳＲＰを測定すると、ＳＩＢ２に含まれるＮＢ−ＩｏＴ用のＲＳＲＰ閾値を参照し、適用されるカバレッジ拡張レベルを選定する。
【００３７】
図７は、記憶部１１０に記憶されるデータの例として、カバレッジ拡張レベルのそれぞれで適用される信号送信の繰り返し数の例を示している。同図には、ｅＭＴＣ及びＮＢ−ＩｏＴのそれぞれについて、ＳＩＢ２に含まれるデータの項目（１）から（８）及び（１）から（４）と、各カバレッジ拡張レベルに対応付けられた信号送信の繰り返し数が示されている。同図に示される信号送信の繰り返し数がＳＩＢ２の各データ項目に設定されて、ユーザ装置２０に送信される。ユーザ装置２０は、受信したブロードキャスト情報に含まれるＳＩＢ２に設定されたデータに基づいて、各カバレッジ拡張レベルに対応付けられた信号送信の繰り返し数を判断する。
【００３８】
図７に示したいずれの項目に対しても信号送信の繰り返し数を設定可能であり、例えば、ｅＭＴＣ及びＮＢ−ＩｏＴのそれぞれについて、項目（２）（３）（４）のそれぞれに所定の繰り返し数を設定することが挙げられる。
【００３９】
図５の説明に戻る。送信部１１１は、基地局装置１０から送信されるべき上位のレイヤの信号から、物理レイヤの各種信号を生成し、無線送信する。また、送信部１１１は、基地局装置１０で生成されたブロードキャスト情報（報知情報）のＳＩＢ２をユーザ装置２０に送信する。また、送信部１１１は、適用されているカバレッジ拡張レベルに対応する繰り返し回数で信号を送信する。
【００４０】
受信部１１２は、ユーザ装置２０から各種の無線信号を受信し、受信した物理レイヤの信号からより上位のレイヤの信号を取得する。また、受信部１１２は、適用されているカバレッジ拡張レベルに対応する繰り返し回数で送信された信号を受信する。
【００４１】
制御部１１３は、送信部１１１による信号送信、受信部１１２による信号受信、及びブロードキャスト情報等の送信される情報の生成など、基地局装置１０における各種の処理を制御する。
【００４２】
制御部１１３は、例えば、通信品質を示すパラメータが所定値以上になるように、カバレッジ拡張レベルにおける繰り返し送信回数、及びカバレッジ拡張レベルを決定するための受信電力（ＲＳＲＰ）の閾値のうち少なくとも一方を変更する。変更幅は、任意に設定できる。また、制御部１１３は、通信品質を示すパラメータが所定値未満となった直後に上記の繰り返し送信回数及び上記のＲＳＲＰの閾値を変更してもよいし、所定期間（例えば、１０分間、１時間、又は１日間）、通信品質を示すパラメータが所定値未満となったときに、上記の変更を行ってもよい。なお、ＳＩＢ２を変更した場合、ユーザ装置へ変更を通知する。例えば、ＰＡＧＩＮＧを用いて通知してもよい。
【００４３】
通信品質を示すパラメータは、例えば、基地局装置１０とユーザ装置２０との間の通信の所定期間における接続率を含む。接続率は、接続を試みた回数に対する接続の成功回数の割合である。また、通信品質を示すパラメータは、所定期間における接続の失敗率又は失敗数を含む。接続の失敗は、例えば、ＲＡＣＨ（Ｒａｎｄｏｍ  Ａｃｃｅｓｓ  Ｃｈａｎｎｅｌ）手順において送信したメッセージに対する応答を受信しないときにカウントされる。接続の失敗率は、接続を試みた回数に対する接続の失敗回数の割合である。
【００４４】
制御部１１３によるカバレッジ拡張レベルにおける繰り返し送信回数、及びカバレッジ拡張レベルを決定するための受信電力（ＲＳＲＰ）の閾値の変更は、例えば、図６及び図７を参照して説明したような記憶部１１０に記憶されたデータを変更することにより行う。
【００４５】
具体的には、ＲＳＲＰの閾値を上げるように変更するほど、通信品質は向上する。また、繰り返し送信回数を上げるように変更するほど、通信品質は向上する。
【００４６】
制御部１１３は、変更されたカバレッジ拡張レベルにおける繰り返し送信回数と、カバレッジ拡張レベルを決定するための受信電力の閾値とを含むブロードキャスト情報を生成し、送信部１１１による当該ブロードキャスト情報の送信を制御する。繰り返し送信回数と、受信電力の閾値とをブロードキャスト情報にどのように含めるかについては、図６及び図７を参照して既に説明したとおりである。
【００４７】
一般に、基地局装置に対応して設定するセルの数は膨大である。このため、各セルの電波の環境を判断し、セル毎に適した上記のＲＳＲＰの閾値や信号送信の繰り返し回数などの通信パラメータを手動で設定することは困難である。
【００４８】
これに対し、本実施形態によれば、基地局装置１０の制御部１１３は、通信品質を示すパラメータが所定値未満であったときに、上記繰り返し送信回数、及び上記ＲＳＲＰの閾値などの通信パラメータのうち少なくとも一つを上げるように制御する。その結果、より高い通信品質の実現のために、より容易にセル毎に通信パラメータを設定することができる。
【００４９】
また、制御部１１３は、所定期間、通信品質を示すパラメータが所定値以上であったときに、上記繰り返し送信回数、及び上記ＲＳＲＰの閾値のうち少なくとも一方を下げるように制御してもよい。
【００５０】
前述のとおり、信号送信の繰り返し回数が多いほど、カバレッジがより拡張され、通信品質が向上する一方で、繰り返し回数が多いほど、通信のスループットが低下する。そのため、通信品質が一定以上であるときに、上記繰り返し送信回数、及び上記ＲＳＲＰの閾値のうち少なくとも一方を下げることにより、通信品質が過剰に高くなることを防ぎ、通信の品質とスループットとの間のバランスをとることができる。
【００５１】
〔処理フロー〕
図８を参照して、基地局装置１０により実行される処理フローの一例を説明する。この処理は、基地局装置１０が有するプロセッサが、記憶部に記憶されたコンピュータプログラムを実行することにより制御される。既に説明した処理の詳細については、ここでは省略する。
【００５２】
まず、Ｓ１１で、基地局装置１０は、基地局装置１０とユーザ装置２０との間の無線通信の品質を示すパラメータ（例えば、接続率など）が所定期間、所定値未満であるか否かを判断する。所定期間、所定値未満であるときは、Ｓ１２へ進み、所定値以上であるときは、Ｓ１３へ進む。
【００５３】
Ｓ１２で、基地局装置１０は、ＳＩＢ２に含めるパラメータのうち、カバレッジ拡張レベルにおける繰り返し送信回数、及びカバレッジ拡張レベルを決定するための受信電力（ＲＳＲＰ）の閾値のうち少なくとも一方を上げるように変更し、ユーザ装置に変更を通知することで、通信品質の向上を図る。
【００５４】
次に、Ｓ１３で、基地局装置１０は、無線通信の品質を示すパラメータ（例えば、接続率など）が所定期間、所定値以上であるか否かを判断する。所定期間、所定値以上であるとき、Ｓ１４へ進み、所定値未満であるとき、Ｓ１１へ進む。
【００５５】
Ｓ１４で、基地局装置１０は、ＳＩＢ２に含めるパラメータのうち、カバレッジ拡張レベルにおける繰り返し送信回数、及びカバレッジ拡張レベルを決定するための受信電力の閾値のうち少なくとも一方を下げるように変更し、ユーザ装置に変更を通知することで、無線リソースを適切に確保する。
【００５６】
以上のように、本実施形態によれば、基地局装置１０は、通信品質を示すパラメータが所定値未満であったときに、例えば、上記繰り返し送信回数、及び上記ＲＳＲＰの閾値のうち少なくとも一つを上げるように制御する。その結果、より高い通信品質の実現のために、より容易にセル毎に通信パラメータを設定することができる。
【００５７】
また基地局装置１０は、所定期間、通信品質を示すパラメータが所定値以上であったときに、上記繰り返し送信回数、及び上記ＲＳＲＰの閾値のうち少なくとも一方を下げるように制御する。
【００５８】
一般に、信号送信の繰り返し回数が多いほど、通信品質が向上する一方で、繰り返し回数が多いほど、通信のスループットが低下する。そのため、通信品質が一定以上であるときに、上記繰り返し送信回数、及び上記ＲＳＲＰの閾値のうち少なくとも一方を下げることにより、通信品質が過剰に高くなることを防ぎ、通信の品質とスループットとの間のバランスをとることができる。
【００５９】
〔ハードウェア構成〕
図９を参照して、基地局装置１０のハードウェア構成の例を説明する。上記で説明した基地局装置１０の機能は、例えば、同図に示すハードウェア構成により実現される。
【００６０】
以下の説明では、「装置」という文言は、回路、デバイス、ユニットなどに読み替えることができる。基地局装置１０のハードウェア構成は、図９に示した各装置を１つ又は複数含むように構成されてもよいし、一部の装置を含まずに構成されてもよい。
【００６１】
図９に示すように、基地局装置１０は、プロセッサ１１、メモリ１２、記憶装置１３、通信装置１４、入力装置１５、及び出力装置１６を備える。
【００６２】
プロセッサ１１は、基地局装置１０による処理の全体を制御する。プロセッサ１１は、例えば、ＣＰＵ（Ｃｅｎｔｒａｌ  Ｐｒｏｃｅｓｓｉｎｇ  Ｕｎｉｔ）、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、及び／又はＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよい。
【００６３】
メモリ１２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１２は、上記の本実施形態において基地局装置１０による処理を実行可能なコンピュータプログラム、ソフトウェアモジュールなどを保存する。
【００６４】
記憶装置１３は、コンピュータ読み取り可能な記録媒体であり、例えば、ハードディスクドライブ、フレキシブルディスク、デジタル多用途ディスク、スマートカード、フラッシュメモリ、磁気ストリップなどの少なくとも１つで構成されてもよい。
【００６５】
通信装置１４は、無線通信ネットワークを介してコンピュータ間の通信を行うための装置である。通信装置１４は、例えばネットワークデバイス、ネットワークコントローラ、ネットワークカード、又は通信モジュールとも称される。
【００６６】
入力装置１５は、外部からの入力を受け付ける装置（例えば、スイッチ、ボタン、センサなど）である。出力装置１６は、外部への出力を実施する装置（例えば、ディスプレイ、スピーカー、ＬＥＤランプなど）である。
【００６７】
また、プロセッサ１１及びメモリ１２などの各装置は、情報を通信するためのバスで接続される。バスは、単一のバスで構成されてもよいし、装置間で異なるバスで構成されてもよい。
【００６８】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００６９】
１…無線通信システム、１０…基地局装置、２１，２２…ユーザ装置
【図１】
2020178174.tif 000003
【図２】
2020178174.tif 000004
【図３】
2020178174.tif 000005
【図４】
2020178174.tif 000006
【図５】
2020178174.tif 000007
【図６】
2020178174.tif 000008
【図７】
2020178174.tif 000009
【図８】
2020178174.tif 000010
【図９】
2020178174.tif 000011